(57)【要約】【課題】触感を向上させることができる水廻り用の床を提供する。【解決手段】本開示に係る水廻り用の床は、基準面から上方に隆起し、基準面上の第１方向に長手方向を有する複数の第１の凸部と、基準面から上方に隆起し、第１方向と交差する基準面上の第２方向に長手方向を有する複数の第２の凸部とを備え、複数の第１の凸部及び複数の第２の凸部の長手方向の端部は、それぞれ、連続して湾曲して基準面に接続される。【選択図】図４
2019173502.tif 000002
【特許請求の範囲】
【請求項１】
基準面から上方に隆起し、前記基準面上の第１方向に長手方向を有する複数の第１の凸部と、
前記基準面から上方に隆起し、前記第１方向と交差する前記基準面上の第２方向に長手方向を有する複数の第２の凸部と、を備え、
前記複数の第１の凸部及び前記複数の第２の凸部の長手方向の端部は、それぞれ、連続して湾曲して前記基準面に接続される、水廻り用の床。
【請求項２】
前記複数の第１の凸部及び前記複数の第２の凸部は、前記第１方向及び前記第２方向に沿って交互に周期的に配置される、請求項１に記載の水廻り用の床。
【請求項３】
前記複数の第１の凸部及び前記複数の第２の凸部は、互いに間隔を空けて配置される、請求項２に記載の水廻り用の床。
【請求項４】
前記複数の第１の凸部及び前記複数の第２の凸部の上面は、連続した曲面で形成される、請求項１〜３のいずれか一項に記載の水廻り用の床。
【請求項５】
前記複数の第１の凸部及び前記複数の第２の凸部において、長手方向の端部と前記基準面との成す角度は、短手方向の端部と前記基準面との成す角度よりも小さい、請求項１〜４のいずれか一項に記載の水廻り用の床。
【請求項６】
前記複数の第１の凸部の長手方向の長さは、前記複数の第２の凸部の長手方向の長さよりも長い、請求項１〜５のいずれか一項に記載の水廻り用の床。
【請求項７】
前記複数の第１の凸部の高さは、前記複数の第２の凸部の高さよりも高い、請求項１〜６のいずれか一項に記載の水廻り用の床。
【請求項８】
前記複数の第１の凸部の短手方向の長さは、前記複数の第２の凸部の短手方向の長さの０．９倍以上１．１倍以下の長さである、請求項１〜７のいずれか一項に記載の水廻り用の床。
【請求項９】
前記基準面、前記複数の第１の凸部の上面、又は前記複数の第２の凸部の上面の少なくとも一部には、凹凸が形成される、請求項１〜８のいずれか一項に記載の水廻り用の床。
【請求項１０】
基礎となる第１の層と、
前記第１の層の上に積層され、弾性材料で形成される第２の層と、
前記第２の層の上に積層され、前記複数の第１の凸部及び前記複数の第２の凸部が形成された第３の層と、を備える請求項１〜９のいずれか一項に記載の水廻り用の床。
【発明の詳細な説明】
【技術分野】
【０００１】
本開示は、水廻り用の床に関する。
【背景技術】
【０００２】
特許文献１には、表面に間隔を空けて島状に形成された複数の凸部と、複数の凸部のそれぞれの間に凸部を取り囲むように設けられる導水路とを備えた水廻り用の床が開示されている。
【先行技術文献】
【特許文献】
【０００３】
【特許文献１】特開２００９−１７９９３７号公報
【発明の概要】
【発明が解決しようとする課題】
【０００４】
しかしながら、特許文献１に記載の水廻り用の床においては、触感を向上させるという観点において未だ改善の余地がある。
【０００５】
従って、本開示の目的は、前記課題を解決することにあって、触感を向上させることができる水廻り用の床を提供することにある。
【課題を解決するための手段】
【０００６】
上記目的を達成するために、本開示の一態様の水廻り用の床は、基準面から上方に隆起し、前記基準面上の第１方向に長手方向を有する複数の第１の凸部と、
前記基準面から上方に隆起し、前記第１方向と交差する前記基準面上の第２方向に長手方向を有する複数の第２の凸部と、を備え、
前記複数の第１の凸部及び前記複数の第２の凸部の長手方向の端部は、それぞれ、連続して湾曲して前記基準面に接続される。
【発明の効果】
【０００７】
本開示に係る水廻り用の床によれば、触感を向上させることができる。
【図面の簡単な説明】
【０００８】
【図１】本開示に係る実施形態の水廻り用の床の斜視図
【図２】図１の水廻り用の床のＺ１部分の拡大斜視図
【図３】図２の水廻り用の床の一部の平面図
【図４】図３のＣＳ１−ＣＳ１線で切断した水廻り用の床の縦断面図
【図５】図３のＣＳ２−ＣＳ２線で切断した水廻り用の床の縦断面図
【図６】図４における第１の凸部及び第２の凸部上の凹凸を示す切断部端面図
【発明を実施するための形態】
【０００９】
（本開示の基礎となった知見）
本発明者らは、水廻り用の床の触感を向上させるために鋭意検討した結果、以下の知見を得た。
【００１０】
従来の水廻り用の床においては、複数の凸部の周囲に導水路（溝）が形成される。導水路は、段状に形成され所定の幅及び深さを有する。導水路の側面は、底面に対して９０度に近い傾斜に形成される。
【００１１】
しかしながら、従来の水廻り用の床においては、導水路の側面は底面に対して急傾斜となっているため、導水路の側面と底面との接続部は角を形成しやすい。このため、使用者が床に触れたとき、当該接続部と使用者の肌との間に隙間が形成されやすい。これにより、使用者の肌と床との接触面積が減少して床の触感を損ね得る。
【００１２】
これに対して、本発明者らは、長手方向を有する複数の第１の凸部及び第２の凸部を備え、それぞれの長手方向を交差させて、複数の第１の凸部及び複数の第２の凸部の長手方向の端部をそれぞれ連続して湾曲して基準面に接続する床の構成を見出した。これにより、本発明者らは、複数の凸部の長手方向の端部と基準面との接続部を滑らかにすることで、使用者の肌と床との接触面積を増加させることができ、床の触感を向上させることができることを見出した。
【００１３】
これらの新規な知見に基づき、本発明者らは、以下の開示に至った。
【００１４】
以下に、本開示に係る実施形態を図面に基づいて詳細に説明する。なお、この実施形態によって本開示が限定されるものではない。
【００１５】
（実施形態）
図１は、本開示に係る実施形態の水廻り用の床１０の斜視図である。床１０は、水廻りにおいて使用される。本実施形態では、床１０は浴室内で使用される。図１に示すように、床１０は、浴槽１を有する浴室内で、浴槽１の側方において浴室の洗い場の底面に配置される。
【００１６】
図２は、図１の水廻り用の床１０のＺ１部分の拡大斜視図である。図２に示すように、床１０は、基準面１３上に、複数の第１の凸部１５と複数の第２の凸部１７とを備える。複数の第１の凸部１５及び複数の第２の凸部１７は、基準面１３から上方に隆起して形成される。ここで基準面１３は、床１０の上面を示す。
【００１７】
複数の第１の凸部１５は、基準面１３上の第１方向に長手方向を有する。複数の第２の凸部１７は、基準面１３上の第２方向に長手方向を有する。本実施形態では、複数の第１の凸部１５及び複数の第２の凸部１７は、平面視において、長手方向の端部が半円形状に丸められた矩形状に形成される。
【００１８】
ここで基準面１３上の第１方向及び第２方向は、床１０の基準面１３に沿った所定の方向である。第１方向及び第２方向は互いに交差する方向である。本実施形態では、第１方向及び第２方向は互いに直交する方向である。図において、Ｘ方向は第１方向を示し、Ｙ方向は第２方向を示し、Ｚ方向はＸ方向及びＹ方向に直交する高さ方向を示す。すなわち、複数の第１の凸部１５はＸ方向に長手方向を有し、複数の第２の凸部１７はＹ方向に長手方向を有する。また、複数の第１の凸部１５は、Ｙ方向に短手方向を有し、複数の第２の凸部１７はＸ方向に短手方向を有する。
【００１９】
床１０の基準面１３において、複数の第１の凸部１５及び複数の第２の凸部１７の所定の数の集まりが、複数並んで配置される。具体的には、複数の第１の凸部１５及び複数の第２の凸部１７が、規則的に並んで配置される。すなわち、複数の第１の凸部１５及び複数の第２の凸部１７は、周期的に配置される。
【００２０】
本実施形態では、複数の第１の凸部１５及び複数の第２の凸部１７は、第１方向（Ｘ方向）及び第２方向（Ｙ方向）に沿って交互に周期的に配置される。すなわち、第１方向に沿って第１の凸部１５及び第２の凸部１７が交互に配置され、第２方向に沿って第１の凸部１５及び第２の凸部１７が交互に配置される。言い換えると、複数の第１の凸部１５及び複数の第２の凸部１７はそれぞれ千鳥状に配置される。
【００２１】
また、複数の第１の凸部１５及び複数の第２の凸部１７は、互いに間隔を空けて配置される。具体的には、それぞれの第１の凸部１５は、それぞれの第２の凸部１７から基準面１３を介して離れて配置されている。
【００２２】
次に図３から図５を用いて、複数の第１の凸部１５及び複数の第２の凸部１７について詳細に説明する。図３は、図２の水廻り用の床１０の一部の平面図である。図４は、図３のＣＳ１−ＣＳ１線で切断した水廻り用の床１０の縦断面図である。図５は、図３のＣＳ２−ＣＳ２線で切断した水廻り用の床１０の縦断面図である。
【００２３】
図３に示すように、平面視において、複数の第１の凸部１５の外周は、２つの直線部１５ａと、２つの直線部１５ａに接続される２つの曲線部１５ｂとを有する。平面視において、複数の第２の凸部１７の外周は、２つの直線部１７ａと、２つの直線部１７ａに接続される２つの曲線部１７ｂとを有する。
【００２４】
２つの直線部１５ａは第１方向（Ｘ方向）に延びる。一方の曲線部１５ｂは２つの直線部１５ａの一端と接続し、他方の曲線部１５ｂは２つの直線部１５ａの他端と接続する。一方の曲線部１５ｂは第１方向（＋Ｘ方向）に向けて連続して湾曲し、他方の曲線部１５ｂは第１方向（−Ｘ方向）に向けて連続して湾曲する。
【００２５】
２つの直線部１７ａは第２方向（Ｙ方向）に延びる。一方の曲線部１７ｂは２つの直線部１７ａの一端と接続し、他方の曲線部１７ｂは２つの直線部１７ａの他端と接続する。一方の曲線部１７ｂは、第２方向外側（＋Ｙ方向）に向けて連続して湾曲し、他方の曲線部１７ｂは第２方向（−Ｙ方向）に向けて連続して湾曲する。
【００２６】
複数の第１の凸部１５の長手方向（Ｘ方向）の長さＤ１は、複数の第２の凸部１７の長手方向（Ｙ方向）の長さＤ２よりも長い。ここで、長さＤ１は第１の凸部１５における長手方向の両端Ｐ１間の長さであり、長さＤ２は第２の凸部１７における長手方向の両端Ｐ２間の長さである。長さＤ１は、例えば、２．０ｍｍ以上１６．０ｍｍ以下である。長さＤ１は、好ましくは、３．３ｍｍ以上６．３ｍｍ以下である。長さＤ２は、例えば、０．８ｍｍ以上６．０ｍｍ以下である。長さＤ２は、好ましくは、１．１ｍｍ以上２．３ｍｍ以下である。長さＤ１，Ｄ２を前記数値範囲内に設定することで、床１０の触感をより向上させることができる。本実施形態では、長さＤ１は４．８ｍｍであって、長さＤ２は１．７ｍｍである。
【００２７】
複数の第１の凸部１５の短手方向（Ｙ方向）の長さＤ３は、複数の第２の凸部１７の短手方向（Ｘ方向）の長さＤ４の０．９倍以上１．１倍以下である。ここで、長さＤ３は第１の凸部１５における短手方向の両端Ｐ３間の長さであり、長さＤ４は第２の凸部１７における短手方向の両端Ｐ４間の長さである。長さＤ３，Ｄ４は、例えば、０．４ｍｍ以上４．０ｍｍ以下である。長さＤ３，Ｄ４は、好ましくは、０．８ｍｍ以上１．６ｍｍ以下である。長さＤ３，Ｄ４を前記数値範囲内に設定することで、床１０の触感をより向上させることができる。本実施形態では、長さＤ３，Ｄ４は１．２ｍｍである。
【００２８】
それぞれの第１の凸部１５間の短手方向（Ｙ方向）の配置間隔Ｄ５は、例えば、０．８ｍｍ以上６．５ｍｍ以下である。配置間隔Ｄ５は、好ましくは、１．４ｍｍ以上２．６ｍｍ以下である。それぞれの第１の凸部１５間の長手方向（Ｘ方向）の配置間隔Ｄ６は、例えば、１．４ｍｍ以上１１．５ｍｍ以下である。配置間隔Ｄ６は、好ましくは、２．４ｍｍ以上４．６ｍｍ以下である。配置間隔Ｄ５，Ｄ６を前記数値範囲内に設定することで、床１０の触感をより向上させることができる。本実施形態では、配置間隔Ｄ５は２．０ｍｍであって、配置間隔Ｄ６は、３．５ｍｍである。
【００２９】
図４及び図５に示すように、複数の第１の凸部１５及び複数の第２の凸部１７の長手方向の端部は、それぞれ、連続して湾曲して基準面１３に接続される。具体的には、第１の凸部１５の長手方向（Ｘ方向）の両端Ｐ１及び第２の凸部１７の長手方向（Ｙ方向）の両端Ｐ２は、それぞれ、連続して湾曲して基準面１３に接続される。すなわち、両端Ｐ１，Ｐ２は、基準面１３に対して、段状に形成されずに滑らかに接続される。複数の第１の凸部１５の曲線部１５ｂ及び複数の第２の凸部１７の曲線部１７ｂにおいても、両端Ｐ１，Ｐ２と同様に、基準面１３に対して段状に形成されずに滑らかに接続される。
【００３０】
両端Ｐ１における基準面１３と第１の凸部１５とが成す角度θ１は、例えば１５度以上７０度以下である。本実施形態では、角度θ１は３０度である。両端Ｐ２における基準面１３と第２の凸部１７とが成す角度θ２は、例えば２０度以上７５度以下である。本実施形態では、角度θ２は４５度である。
【００３１】
複数の第１の凸部１５及び複数の第２の凸部１７において、長手方向の端部と基準面１３との成す角度は、短手方向の端部と基準面１３との成す角度よりも小さい。具体的には、両端Ｐ１において基準面１３と第１の凸部１５とが成す角度θ１は、第１の凸部１５の短手方向（Ｙ方向）の両端Ｐ３において基準面１３と第１の凸部１５とが成す角度θ３よりも小さい。両端Ｐ２において基準面１３と第２の凸部１７とが成す角度θ２は、第２の凸部１７の短手方向（Ｘ方向）の両端Ｐ４において基準面１３と第２の凸部１７とが成す角度θ４よりも小さい。
【００３２】
角度θ３，θ４は、例えば８０度以上９０度以下である。本実施形態では、角度θ３，θ４は９０度である。これにより、複数の第１の凸部１５及び複数の第２の凸部１７の短手方向の側面を急傾斜にすることができるため、長さＤ３，Ｄ４を短くして、複数の第１の凸部１５及び複数の第２の凸部１７の高さを高くすることができる。このため、複数の第１の凸部１５及び複数の第２の凸部１７の意匠性を向上させることができる。また、長さＤ３，Ｄ４を短くすることができるため、隣り合う複数の凸部１５，１７の間隔を空けた状態で、複数の凸部１５，１７をより密に配置することができる。このため、排水性を低下させることなく床１０の触感をより向上させることができる。
【００３３】
複数の第１の凸部１５及び複数の第２の凸部１７の上面は、連続した曲面で形成される。すなわち、複数の第１の凸部１５及び複数の第２の凸部１７の上面は、段状に形成されずに、上方（＋Ｚ方向）に向けて連続して湾曲して形成される。
【００３４】
具体的には、長手方向（Ｘ方向）において、第１の凸部１５の上面Ａ１は、基準面１３（両端Ｐ１）から上方（＋Ｚ方向）に向けて連続して湾曲して形成される。短手方向（Ｙ方向）において、第１の凸部１５の上面Ａ１は、基準面１３から上方に立ち上がって形成された側面Ａ２の上端部から上方に向けて連続して湾曲して形成される。
【００３５】
長手方向（Ｘ方向）において、第２の凸部１７の上面Ｂ１は、基準面１３（両端Ｐ２）から上方（＋Ｚ方向）に向けて連続して湾曲して形成される。短手方向（Ｙ方向）において、第２の凸部１７の上面Ｂ１は、基準面１３から上方に立ち上がって形成された側面Ｂ２の上端部から上方に向けて連続して湾曲して形成される。
【００３６】
複数の第１の凸部１５の高さＨ１は、複数の第２の凸部１７の高さＨ２よりも高い。ここで、高さＨ１は基準面１３から複数の第１の凸部１５の上端までの高さ方向（Ｚ方向）の長さであり、高さＨ２は基準面１３から複数の第２の凸部１７の上端までの高さ方向（Ｚ方向）の長さである。高さＨ１は、例えば０．２ｍｍ以上２．０ｍｍ以下である。高さＨ１は、好ましくは、０．３ｍｍ以上０．７ｍｍ以下である。本実施形態では、高さＨ１は、０．５ｍｍである。高さＨ２は、例えば０．１ｍｍ以上１．６ｍｍ以下である。高さＨ２は、好ましくは、０．２ｍｍ以上０．４ｍｍ以下である。本実施形態では、高さＨ２は、０．３ｍｍである。高さＨ１，Ｈ２を前記数値範囲内に設定することで、床１０の触感をより向上させることができる。
【００３７】
本実施形態では、床１０は、樹脂材料で形成され、複数の層を含む。具体的には、床１０は、第１の層５０と、第２の層７０と、第３の層９０とを備える。第１の層５０は、床１０の基礎となる層であって第２の層７０を支持する。第２の層７０は、第１の層５０の上に積層され、弾性材料で形成される。
【００３８】
第３の層９０は、第２の層７０の上に積層される。第３の層９０の上面は基準面１３であって、第３の層９０の上面において複数の第１の凸部１５及び複数の第２の凸部１７が形成される。
【００３９】
第１の層５０は、例えば、合板、中密度繊維板（ＭＤＦ）、繊維強化プラスチック（ＦＲＰ）で形成される。第２の層７０は、例えば、ポリエチレンシートで形成される。第３の層９０は、例えば、ポリ塩化ビニル（ＰＶＣ）で形成される。
【００４０】
第１の層５０の厚みｔ１は、例えば３ｍｍ以上２０ｍｍ以下である。第２の層７０の厚みは、例えば３ｍｍである。第３の層９０の厚みｔ３は、例えば１．０ｍｍ以上１．５ｍｍ以下である。第３の層９０の厚みｔ３は、第２の層７０と接する下面から基準面１３までの高さ（Ｚ方向の長さ）である。
【００４１】
図６は、図４における第１の凸部１５及び第２の凸部１７上の凹凸３０を示す切断部端面図である。なお、図６では、凹凸３０を強調して図示している。図６に示すように、基準面１３、複数の第１の凸部１５の上面Ａ１、又は複数の第２の凸部１７の上面Ｂ１の少なくとも一部には、凹凸３０が形成される。本実施形態では、基準面１３、複数の第１の凸部１５の上面Ａ１、及び複数の第２の凸部１７の上面Ｂ１に、凹凸３０が形成される。
【００４２】
凹凸３０は、基準面１３、上面Ａ１及び上面Ｂ１において、複数の第１の凸部１５及び複数の第２の凸部１７による凹凸の幅及び高さよりも小さく形成される。凹凸３０は、例えばサンドブラストによってランダムに形成される。これにより形成される凹凸３０の平面視における形状は、例えば多角形、楕円である。
【００４３】
凹凸３０の断面視縦方向（深さ方向）の表面粗さＲｚｊｉｓは、例えば３μｍ以上４０μｍ以下である。表面粗さＲｚｊｉｓは、好ましくは、８μｍ以上１６μｍ以下である。凹凸３０の断面視横方向（幅方向）の表面粗さＲＳｍは、例えば２５０μｍ以下である。表面粗さＲＳｍは、好ましくは、２５μｍ以上４７μｍ以下である。表面粗さＲｚｊｉｓ，ＲＳｍを前記数値範囲内に設定することで、床１０の触感をより向上させることができる。本実施形態では、Ｒｚｊｉｓは１２μｍであって、ＲＳｍは３６μｍである。
【００４４】
ここで、表面粗さＲｚｊｉｓは、十点平均粗さを示し、粗さ曲線で最高の山頂から高い順に５番目までの山高さの平均と、最深の谷底から深い順に５番目までの谷深さの平均の和である。表面粗さＲＳｍは、粗さ曲線要素の平均長さであって、基準長さにおける輪郭曲線要素の長さの平均である。
【００４５】
［効果］
本実施形態に係る水廻り用の床１０によれば、以下の効果を奏することができる。
【００４６】
本実施形態に係る水廻り用の床１０は、複数の第１の凸部１５と、複数の第２の凸部１７とを備える。複数の第１の凸部１５は、基準面１３から上方に隆起し、基準面１３上の第１方向（Ｘ方向）に長手方向を有する。複数の第２の凸部１７は、基準面１３から上方に隆起し、第１方向と交差する基準面１３上の第２方向（Ｙ方向）に長手方向を有する。複数の第１の凸部１５及び複数の第２の凸部１７の長手方向の端部は、それぞれ、連続して湾曲して基準面１３に接続される。
【００４７】
この構成によれば、複数の第１の凸部１５及び複数の第２の凸部１７の長手方向の端部を連続して湾曲して基準面１３に接続することで、使用者の肌と床１０との接触面積を増加させることができ、床１０の触感を向上させることができる。また、複数の第１の凸部１５の長手方向（Ｘ方向）を複数の第２の凸部１７の長手方向（Ｙ方向）に対して交差させることで、床１０での滑りを防止することができる。
【００４８】
また、本実施形態に係る水廻り用の床１０において、複数の第１の凸部１５及び複数の第２の凸部１７は、第１方向（Ｘ方向）及び第２方向（Ｙ方向）に沿って交互に周期的に配置される。
【００４９】
この構成によれば、複数の第１の凸部１５及び複数の第２の凸部１７を、第１方向及び第２方向に沿って交互に周期的に配置することで、例えば織物のような触感を得ることができる。また、意匠性を向上させることができる。
【００５０】
また、本実施形態に係る水廻り用の床１０において、複数の第１の凸部１５及び複数の第２の凸部１７は、互いに間隔を空けて配置される。
【００５１】
この構成によれば、複数の第１の凸部１５及び複数の第２の凸部１７を互いに間隔を空けて配置することで、水が凸部１５，１７によって堰き止められることを防止することができる。このため、排水性を向上させることができる。このため、水が乾燥しきらずに床１０に残ることを抑制することができるため、防汚性を向上させることができる。
【００５２】
また、本実施形態に係る水廻り用の床１０において、複数の第１の凸部１５及び複数の第２の凸部１７の上面は、連続した曲面で形成される。
【００５３】
この構成によれば、複数の第１の凸部１５及び複数の第２の凸部１７の上面を連続した曲面で形成することで、触感をより向上させることができる。
【００５４】
また、本実施形態に係る水廻り用の床１０において、複数の第１の凸部１５及び複数の第２の凸部１７において、長手方向の端部と基準面１３との成す角度は、短手方向の端部と基準面１３との成す角度よりも小さい。
【００５５】
この構成によれば、複数の第１の凸部１５及び複数の第２の凸部１７において、基準面１３に対して、長手方向の端部を短手方向の端部よりも滑らかに接続することができる。また、複数の第１の凸部１５及び複数の第２の凸部１７の短手方向の端部により、床１０での滑りをより一層防止することができる。
【００５６】
また、本実施形態に係る水廻り用の床１０において、複数の第１の凸部１５の長手方向（Ｘ方向）の長さＤ１は、複数の第２の凸部１７の長手方向（Ｙ方向）の長さＤ２よりも長い。
【００５７】
この構成によれば、長さＤ１を長さＤ２よりも長くすることで、触感をより向上させることができる。
【００５８】
また、本実施形態に係る水廻り用の床１０において、複数の第１の凸部１５の高さＨ１は、複数の第２の凸部１７の高さＨ２よりも高い。
【００５９】
この構成によれば、高さＨ１を高さＨ２よりも高くすることで、触感をより向上させることができる。
【００６０】
また、本実施形態に係る水廻り用の床１０において、複数の第１の凸部１５の短手方向（Ｙ方向）の長さＤ３は、複数の第２の凸部１７の短手方向（Ｘ方向）の長さＤ４の０．９倍以上１．１倍以下の長さである。
【００６１】
この構成によれば、長さＤ３を、長さＤ４の０．９倍〜１．１倍の長さにすることで、触感をより向上させることができる。
【００６２】
また、本実施形態に係る水廻り用の床１０において、基準面１３、複数の第１の凸部１５の上面Ａ１、又は複数の第２の凸部１７の上面Ｂ１の少なくとも一部には、凹凸３０が形成される。
【００６３】
この構成によれば、基準面１３、複数の第１の凸部１５の上面Ａ１、又は複数の第２の凸部１７の上面Ｂ１の少なくとも一部に、凹凸３０を形成することで、触感をより向上させることができる。また、水が凹凸３０に付着する表面積を増加させることができる。これにより、表面張力による吸着性を増加させることができるため、床１０での滑りをより一層防止することができる。
【００６４】
また、本実施形態に係る水廻り用の床１０において、基礎となる第１の層５０と、第１の層５０の上に積層され、弾性材料で形成される第２の層７０と、第２の層７０の上に積層される第３の層９０とを備える。第３の層９０には、複数の第１の凸部１５及び複数の第２の凸部１７が形成される。
【００６５】
この構成によれば、弾性材料で形成される第２の層７０を備えることで、転倒時の危険性を抑制することができる。また、触感をより向上させることができる。
【００６６】
なお、本開示は前記実施形態に限定されるものではなく、その他種々の態様で実施できる。前記実施形態では、床１０は浴室内で使用されるとしたが、これに限定されない。床１０は、水廻りで使用されれば他の場所で使用されてもよい。床１０は、例えば、洗面所の床や浴槽の底面であってもよい。
【００６７】
また、複数の第１の凸部１５及び複数の第２の凸部１７は、第１方向及び第２方向に沿って交互に周期的に配置されるとしたが、凸部１５，１７の長手方向の端部が、連続して湾曲して基準面１３に接続されていれば、他の構成であってもよい。複数の第１の凸部１５及び複数の第２の凸部１７は、例えば、複数個ずつ、第１方向及び第２方向に沿って交互に周期的に配置されてもよい。また、複数の第１の凸部１５及び複数の第２の凸部１７は、例えば任意に配置されてもよい。
【００６８】
また、複数の第１の凸部１５及び複数の第２の凸部１７の上面は、連続した曲面で形成されるとしたが、凸部１５，１７の長手方向の端部が、連続して湾曲して基準面１３に接続されていれば他の構成であってもよい。複数の第１の凸部１５の上面Ａ１及び複数の第２の凸部１７の上面Ｂ１は、例えば、上端の一部が平坦に形成されていてもよい。
【００６９】
また、平面視において、複数の第１の凸部１５の外周は、２つの直線部１５ａと、２つの直線部１５ａに接続される２つの曲線部１５ｂとを有するとしたが、これに限定されない。平面視において、複数の第１の凸部１５の外周は、例えば楕円形状であってもよい。
【００７０】
また、基準面１３、複数の第１の凸部１５の上面Ａ１、又は複数の第２の凸部１７の上面Ｂ１の少なくとも一部には、凹凸３０が形成されるとしたが、凹凸３０が形成されていなくてもよい。
【００７１】
また、前記実施形態における寸法は一例であって、これに限定されない。
【００７２】
本開示は、添付図面を参照しながら好ましい実施形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、実施形態における要素の組み合わせや順序の変化は、本開示の範囲および思想を逸脱することなく実現し得るものである。
【符号の説明】
【００７３】
１  浴槽
１０  床
１３  基準面
１５  第１の凸部
１５ａ  直線部
１５ｂ  曲線部
１７  第２の凸部
１７ａ  直線部
１７ｂ  曲線部
３０  凹凸
５０  第１の層
７０  第２の層
９０  第３の層
【図１】
2019173502.tif 000003
【図２】
2019173502.tif 000004
【図３】
2019173502.tif 000005
【図４】
2019173502.tif 000006
【図５】
2019173502.tif 000007
【図６】
2019173502.tif 000008